(57)【要約】      （修正有）【課題】部品を追加することなく、接続部の端子が適切に挿入された状態を維持することができる衛生洗浄装置及びトイレ装置を提供する。【解決手段】実施形態に係る衛生洗浄装置は、ベースプレート１１と、ケーシング１２と、機能部１３と、接続部１４とを備える。ベースプレートは、便器に固定される。ケーシングは、便器にベースプレートを介して取り付けられる。機能部は、ケーシングに収容される。接続部は、機能部に対して挿入される端子を有する。また、ベースプレートは、ケーシングが取り付けられた状態で、端子の抜け方向に位置し、端子と接触する。【選択図】図５
2020133179.tif 000002
【特許請求の範囲】
【請求項１】
便器に固定されるベースプレートと、
前記便器に前記ベースプレートを介して取り付けられるケーシングと、
前記ケーシングに収容される機能部と、
前記機能部に対して挿入される端子を有する接続部と、
を備え、
前記ベースプレートは、
前記ケーシングが取り付けられた状態で、前記端子の抜け方向に位置し、前記端子と接触する、衛生洗浄装置。
【請求項２】
前記ベースプレートは、
前記ケーシングを取り付ける際の取り付け向きの奥側に向かうにつれて、前記ケーシングとの距離が小さくなるように傾斜している、請求項１に記載の衛生洗浄装置。
【請求項３】
前記ベースプレートは、平坦な上面を有しており、前記平坦な上面のうちの前記ケーシングを取り付ける際の前記端子の経路に相当する部位が、前記ケーシングを取り付ける際の取り付け向きの奥側に向かうにつれて、前記ケーシングとの距離が小さくなるように傾斜している、請求項２に記載の衛生洗浄装置。
【請求項４】
前記ベースプレートは、前記ケーシングを取り付ける際の取り付け向きの奥端が平坦になっている、請求項２または３に記載の衛生洗浄装置。
【請求項５】
前記ベースプレートは、前記ケーシングを取り付ける際の取り付け向きに直交する方向における両端に位置する縁部が前記端子と接触する、請求項１〜４のいずれか１つに記載の衛生洗浄装置。
【請求項６】
前記端子は、
下方から上方に向けて前記機能部に挿入され、
前記ベースプレートは、
前記ケーシングが取り付けられた状態で、前記端子の下方に位置し、前記端子と接触する、請求項１〜５のいずれか１つに記載の衛生洗浄装置。
【請求項７】
前記ベースプレートは、
前記ケーシングを取り付ける際の取り付け向きの奥端が、前記ケーシングに向かって凸形状に形成されている、請求項１〜６のいずれか１つに記載の衛生洗浄装置。
【請求項８】
請求項１〜７のいずれか１つに記載の衛生洗浄装置と、
前記衛生洗浄装置が設置される前記便器と、
を備える、トイレ装置。
【発明の詳細な説明】
【技術分野】
【０００１】
開示の実施形態は、衛生洗浄装置及びトイレ装置に関する。
【背景技術】
【０００２】
従来、便器の上面に設置され、人体の局部を洗浄する衛生洗浄装置が知られている。衛生洗浄装置は、内部に機能部を有しており、機能部に対して接続部の端子を挿し込むことができるようになっている。たとえば、機能部は、洗浄水タンクの排水レバーを駆動するモータに対して電源を供給可能に構成されており、機能部とモータとを電気的に接続するための電源ケーブルの端子が機能部に挿し込まれる。
【０００３】
ここで、たとえば、施工時において端子が機能部に対して中途半端に差し込まれたり、使用しているうちに端子が機能部から抜け落ちてしまったりすることで、端子が機能部に対して適切に挿入されていない状態となることがあった。このため、端子が適切に挿入された状態か否かを検知するための部品を追加することや、機能部に挿入された端子を覆う部品を追加することで対策を行うことが提案されている（たとえば、特許文献１参照）。
【先行技術文献】
【特許文献】
【０００４】
【特許文献１】特開２０１８−３１２０３号公報
【発明の概要】
【発明が解決しようとする課題】
【０００５】
しかしながら、上記した従来技術には、部品の追加が必要となってしまうことから、部品数が増加し、衛生洗浄装置のコストが上がってしまうという課題があった。
【０００６】
実施形態の一態様は、上記に鑑みてなされたものであって、部品を追加することなく、接続部の端子が適切に挿入された状態を維持することができる衛生洗浄装置及びトイレ装置を提供することを目的とする。
【課題を解決するための手段】
【０００７】
実施形態の一態様に係る衛生洗浄装置は、便器に固定されるベースプレートと、前記便器に前記ベースプレートを介して取り付けられるケーシングと、前記ケーシングに収容される機能部と、前記機能部に対して挿入される端子を有する接続部と、を備え、前記ベースプレートは、前記ケーシングが取り付けられた状態で、前記端子の抜け方向に位置し、前記端子と接触する。
【０００８】
かかる構成によれば、ベースプレートが端子の抜け方向を遮蔽することで、端子の抜け方向への移動が制限されるため、部品を追加することなく、接続部の端子が適切に挿入された状態を維持することができる。
【０００９】
また、上記した衛生洗浄装置では、前記ベースプレートは、前記ケーシングを取り付ける際の取り付け向きの奥側に向かうにつれて、前記ケーシングとの距離が小さくなるように傾斜している。
【００１０】
かかる構成によれば、端子が半挿入の状態であっても取り付けを開始することができ、取り付けが完了すると同時に、接続部の端子が適切に挿入された状態にすることができる。
【００１１】
また、上記した衛生洗浄装置では、前記ベースプレートは、平坦な上面を有しており、前記平坦な上面のうちの前記ケーシングを取り付ける際の前記端子の経路に相当する部位が、前記ケーシングを取り付ける際の取り付け向きの奥側に向かうにつれて、前記ケーシングとの距離が小さくなるように傾斜している。
【００１２】
かかる構成によれば、ベースプレート全体の耐久性を確保しながら、端子が半挿入の状態であっても取り付けを開始することができ、取り付けが完了すると同時に、接続部の端子が適切に挿入された状態にすることができる。
【００１３】
また、上記した衛生洗浄装置では、前記ベースプレートは、前記ケーシングを取り付ける際の取り付け向きの奥端が平坦になっている。
【００１４】
かかる構成によれば、ケーシングの取り付けが完了した際に、ベースプレートが端子に対して面接触するため、応力集中による端子の変形等が抑制でき、接続部の端子が適切に挿入された状態を確実に維持することができる。
【００１５】
また、上記した衛生洗浄装置では、前記ベースプレートは、前記ケーシングを取り付ける際の取り付け向きに直交する方向における両端に位置する縁部が前記端子と接触する。
【００１６】
トイレ装置は、後方が壁となることが多い。このため、作業者は、ベースプレートにケーシングを取り付けたまま作業をするとき、端子に対してトイレ装置の左右方向からアプローチすることが多い。かかる構成によれば、左右方向の外側に端子が設けられるため、作業者は、ベースプレートにケーシングを取り付けたまま容易に作業することができる。
【００１７】
また、上記した衛生洗浄装置では、前記端子は、下方から上方に向けて前記機能部に挿入され、前記ベースプレートは、前記ケーシングが取り付けられた状態で、前記端子の下方に位置し、前記端子と接触する。
【００１８】
かかる構成によれば、下方から上方に向けて端子が接続され、自重によって抜け方向に移動しやすい場合であっても、接続部の端子が適切に挿入された状態を維持することができる。
【００１９】
また、上記した衛生洗浄装置では、前記ベースプレートは、前記ケーシングを取り付ける際の取り付け向きの奥端が、前記ケーシングに向かって凸形状に形成されている。
【００２０】
かかる構成によれば、ケーシングの取り付けが完了した際に、ベースプレートの凸形状によって、端子が機能部に強い力で押しつけられるため、接続部の端子が適切に挿入された状態を確実に維持することができる。
【００２１】
さらに、実施形態の一態様に係るトイレ装置は、上述した衛生洗浄装置と、前記衛生洗浄装置が設置される前記便器と、を備える。
【００２２】
かかる構成によれば、ベースプレートが端子の抜け方向を遮蔽することで、端子の抜け方向への移動が制限されるため、部品を追加することなく、接続部の端子が適切に挿入された状態を維持することができる。
【発明の効果】
【００２３】
実施形態の一態様によれば、部品を追加することなく、接続部の端子が適切に挿入された状態を維持することができる衛生洗浄装置及びトイレ装置を提供することができる。
【図面の簡単な説明】
【００２４】
【図１】図１は、第１の実施形態に係るトイレ装置の概略斜視図（その１）である。
【図２】図２は、第１の実施形態に係るトイレ装置の概略斜視図（その２）である。
【図３】図３は、第１の実施形態に係るベースプレートの概略斜視図である。
【図４】図４は、第１の実施形態に係るトイレ装置の組み立て概略斜視図である。
【図５】図５は、第１の実施形態に係るトイレ装置の概略断面図である。
【図６】図６は、第２の実施形態に係るベースプレートの概略斜視図である。
【図７】図７は、第２の実施形態に係るトイレ装置の概略断面図（その１）である。
【図８】図８は、第２の実施形態に係るトイレ装置の概略断面図（その２）である。
【発明を実施するための形態】
【００２５】
以下、添付図面を参照して、本願の開示する衛生洗浄装置およびトイレ装置の実施形態を詳細に説明する。なお、以下に示す実施形態によりこの発明が限定されるものではない。
【００２６】
（第１の実施形態）
＜トイレ装置の全体構成＞
まず、図１および図２を参照して第１の実施形態に係るトイレ装置の全体構成について説明する。図１および図２は、第１の実施形態に係るトイレ装置の概略斜視図である。このうち、図２は、第１の実施形態に係るトイレ装置を斜め後方から見た状態を示している。
【００２７】
なお、図１および図２において、説明を分かりやすくするために、鉛直上向きを正方向とするＺ軸を含む３次元の直交座標系を図示している。かかる直交座標系は、他の図においても図示している場合がある。
【００２８】
また、係る直交座標系は、Ｙ軸の正方向視を正面と規定し、Ｘ軸の正方向視を左側面、Ｘの負方向視を右側面、Ｚ軸の負方向視を平面（「上面」ともいう）と規定している。このため、以下の説明では、Ｘ軸方向を左右方向、Ｙ軸方向を前後方向、Ｚ軸方向を上下方向という場合がある。
【００２９】
図１に示すように、トイレ装置１は、便器部２と、衛生洗浄装置１０とを備える。また、図示を省略しているが、トイレ装置１は、便器部２の上方に取り付けられる便座と、便座の上方に取り付けられる便蓋とをさらに備えている。なお、便器部２は、図示のような床置き式に限らず、壁掛け式であってもよい。また、図示の例では、トイレ装置１は、便器部２の後部に洗浄水を貯留する洗浄水タンク（図示省略）が設置されるが、便器部２の後部に洗浄水タンクが設置されない、いわゆるタンクレス式であってもよい。
【００３０】
便器部２は、便器本体（以下、「便器」という）２ａの上部側に設けられ、汚物を受けるボウル２ｂを有する。なお、便器部２は、洗浄水をボウル２ｂへ導く導水路、ボウル２ｂの下部に入口が接続され、ボウル２ｂ内の汚物を排水管路へ排出するトラップ管路などをさらに有する。なお、便器２ａは、たとえば陶器製である。
【００３１】
また、トイレ装置１は、たとえば、サイホン作用を利用してボウル２ｂ内の汚物を引き込んでトラップ管路から排出する、いわゆるサイホン式である。なお、トイレ装置１は、サイホン式に限らず、たとえば、ボウル２ｂ内の洗浄水の落差による流水作用で汚物を押し流す、いわゆる洗い落とし式であってもよい。
【００３２】
図２に示すように、衛生洗浄装置１０は、便器２ａの上面後部に設置され、例えば、便座に座った人の局部へ向けて洗浄水を噴射して、便座に座った人の局部を洗浄する。
【００３３】
衛生洗浄装置１０は、便器２ａの上面後部に固定されるベースプレート１１と、便器２ａにベースプレート１１を介して取り付けられるケーシング１２と、ケーシング１２に収容される機能部１３（図５参照）とを備える。また、衛生洗浄装置１０は、機能部１３に端子１４ａ（図５参照）を挿入することで衛生洗浄装置１０に接続される接続部１４を備える。
【００３４】
接続部１４は、たとえば、電力駆動する装置に対して衛生洗浄装置１０から電源を供給するための電力供給コードや、給水源（図示省略）と接続される給水ホースや、電源（図示省略）と接続される電源コードなどである。図示の例では、接続部１４は、電力供給コードとなっている。
【００３５】
たとえば、接続部１４は、洗浄水タンクの外側部に設けられ便器２ａ洗浄時に操作される回動レバーをリモコンからの操作で行う場合に、回動レバーを駆動するモータと機能部１３とを電気的に接続して、機能部１３を介して電源を供給し、便器の自動洗浄等を行うことができる。
【００３６】
また、図示の例の場合は、接続部１４を機能部１３に接続する必要がない仕様にも対応するために、接続部１４は後挿しされるようになっている。言い換えれば、接続部１４は、機能部１３に対して挿抜可能に構成される。この場合、後挿しされた接続部１４が適切に挿入されずに半挿入の状態のままになってしまい易くなることや、振動等によって接続部１４が意図せず抜け易くなることがある。
【００３７】
なお、接続部１４は、回動レバーを駆動するモータに限らず、たとえば、トイレ装置１が便器２ａに洗浄水を圧送するポンプ等を備える場合に、ポンプ等に電源を供給するもの等であってもよい。また、電源を供給することに限らず、外部と通信するための通信線等であってもよい。
【００３８】
＜衛生洗浄装置の取り付け＞
次に、図３〜図５を参照して第１の実施形態に係る衛生洗浄装置の取り付けについて詳細に説明する。図３は、第１の実施形態に係るベースプレートの概略斜視図である。図４は、第１の実施形態に係るトイレ装置の組み立て概略斜視図である。図５は、第１の実施形態に係るトイレ装置の概略断面図である。
【００３９】
なお、図４には、トイレ装置１に衛生洗浄装置１０を取り付ける途中の状態でトイレ装置１を斜め後方から見た状態を示している。図５は、トイレ装置１に衛生洗浄装置１０を取り付け終えた状態でトイレ装置１を右側面から見た状態の断面図を示す。また、図５は、端子１４ａを断面図ではない状態で示している。
【００４０】
図３に示すように、ベースプレート１１は、長辺が左右方向に延びる平面視長方形の板状部材である。ベースプレート１１は、便器２ａの上面後部における中央部に固定されている。ベースプレート１１は、ベースプレート１１の中央部に設けられた溝状の取付部１１ａと、取付部１１ａの左右両側に設けられた固定穴１１ｂと、固定穴１１ｂよりも左右方向の外側に設けられた縁部１１ｃとを備える。図示の例の場合、縁部１１ｃは、左方の外側に設けられている。
【００４１】
取付部１１ａは、ベースプレート１１にケーシング１２（図４参照）を取り付けるために設けられている。縁部１１ｃは、取付部１１ａにケーシング１２が取り付けられた状態で、端子１４ａ（図５参照）と接触する。なお、詳細については後述する。
【００４２】
固定穴１１ｂは、ベースプレート１１を便器２ａに固定するための締結手段等を挿通させるための開口である。たとえば、ベースプレート１１は、固定穴１１ｂと便器２ａに設けられた開口（図示省略）とにボルトが挿通されナットで締結されることで便器２ａに固定される。
【００４３】
図４に示すように、ケーシング１２は、ケーシング１２上部であるケースカバー１２ａと、ケーシング１２底部であるケースプレート１２ｂを備える。
【００４４】
衛生洗浄装置１０は、ベースプレート１１の上にケースプレート１２ｂを取り付けることにより、便器２ａの上面に取り付けられる。
【００４５】
ケースプレート１２ｂは、矢印Ｄ１で示すように、衛生洗浄装置１０を前方から後方に向かってスライドさせることでベースプレート１１に取り付けられる。
【００４６】
詳細に説明すると、ケースプレート１２ｂは、たとえば、ケースプレート１２ｂから突出するように形成された突出部（図示省略）を備える。突出部は、衛生洗浄装置１０のスライド方向（ここではＹ軸方向）に沿って延在しており、突出部が溝状の取付部１１ａ（図３参照）に嵌め込まれることで、ケースプレート１２ｂはベースプレート１１の上に取り付けられる。
【００４７】
なお、図示の例では、ケースプレート１２ｂは、衛生洗浄装置１０を前方からスライドさせることでベースプレート１１に取り付けられるが、たとえば、後方や左方、右方からスライドさせて取り付けるものであってもよい。
【００４８】
図５に示すように、機能部１３は、ケースプレート１２ｂに載置され、ケースカバー１２ａによって上方が覆われることで、ケーシング１２内に収納される。機能部１３は、給水、給電機能に供する装置の他、たとえば、便器２ａに座った人の局部を洗浄する衛生洗浄ノズルや、ボウル２ｂ（図１参照）内の臭いを取り除く脱臭装置などを有する。
【００４９】
接続部１４は、機能部１３に対して挿入される端子１４ａを有している。なお、ケースプレート１２ｂには、端子１４ａが挿通可能な挿通口が形成されており、端子１４ａは、かかる挿通口を介して機能部１３に挿入される。
【００５０】
なお、接続部１４は、端子１４ａから延びるコードを接続部１４に含んでもよい。また、図示の例では、端子１４ａはＬ字型の形状をしているが、直線形状や、Ｕ字型の形状であってもよい。
【００５１】
ここで、ベースプレート１１の縁部１１ｃは、ケーシング１２のケースプレート１２ｂが取り付けられた状態で、端子１４ａの抜け方向に位置し、端子１４ａと接触する。本実施形態において、「抜け方向」は下方（Ｚ軸負方向）である。
【００５２】
なお、端子１４ａは、機能部１３に挿入される際の方向（本実施形態においては、上方（Ｚ軸正方向））を挿し方向、その反対方向を抜け方向とし、抜け方向側に位置する後端部において縁部１１ｃと接触する。なお、「挿し方向」および「抜け方向」は、上方および下方に限定されない。
【００５３】
このように、第１の実施形態に係る衛生洗浄装置１０によれば、縁部１１ｃが端子１４ａの抜け方向を遮蔽することで、端子１４ａの抜け方向への移動が制限されるため、部品を追加することなく、接続部１４の端子１４ａが適切に挿入された状態を維持することができる。
【００５４】
また、既存のベースプレート１１が、端子１４ａの抜け方向に位置するように、端子１４ａの差し込まれる位置と方向を設計することにより、既に普及しているベースプレート１１を取り換えることや、既存のベースプレート１１の設計変更をすることなく、上記の効果を得ることができる。
【００５５】
また、ベースプレート１１は、固定穴１１ｂの周囲を覆う外周縁部のうちベースプレート１１の左右方向外側に位置する縁部１１ｃが端子１４ａと接触する。このように、ベースプレート１１は、固定穴１１ｂの外周縁を利用して端子１４ａに接触するため、ベースプレート１１に部材を追加することなく、接続部１４の端子１４ａが適切に挿入された状態を維持することができる。したがって、たとえば、ベースプレート１１の大型化およびコストの増大を抑制することができる。
【００５６】
また、上述した縁部１１ｃは、ケーシング１２を取り付ける際の取り付け向きに直交する方向における両端に位置する縁部でもある。
【００５７】
トイレ装置１は、後方が壁となることが多い。このため、作業者は、ベースプレート１１にケースプレート１２ｂを取り付けたまま作業をするとき、端子１４ａに対してトイレ装置１の左右方向からアプローチすることが多い。このとき、端子１４ａは、左右方向の外側に設けられるため、作業者は、ベースプレート１１にケースプレート１２ｂを取り付けたまま容易に作業することができる。
【００５８】
また、端子１４ａは、下方から上方に向けて機能部１３に挿入され、縁部１１ｃは、ケースプレート１２ｂが取り付けられた状態で、端子１４ａの下方に位置し、端子１４ａと接触する。
【００５９】
このように、第１の実施形態に係る衛生洗浄装置１０によれば、下方から上方に向けて端子１４ａが接続され、自重によって抜け方向に移動しやすい場合であっても、接続部１４の端子１４ａが適切に挿入された状態を維持することができる。
【００６０】
また、縁部１１ｃの後端が、上に向かって凸形状になっている。なお、説明を分かりやすくするために、凸形状の部分を凸形状部１１ｄとして図示する。
【００６１】
第１の実施形態においては、ケースプレート１２ｂは、衛生洗浄装置１０を前方からスライドさせることでベースプレート１１に取り付けられる。このため、縁部１１ｃの後端が、ケースプレート１２ｂを取り付ける際の取り付け向きの奥端となる。
【００６２】
すなわち、縁部１１ｃは、ケースプレート１２ｂを取り付ける際の取り付け向きの奥端が、ケースプレート１２ｂに向かって（図示の例の場合は、上に向かって）凸形状に形成されている。換言すると、縁部１１ｃは、ケースプレート１２ｂの後端に凸形状部１１ｄを有している。
【００６３】
このように、第１の実施形態に係る衛生洗浄装置１０によれば、ケースプレート１２ｂの取り付けが完了した際に、縁部１１ｃの凸形状によって、端子１４ａが機能部１３に強い力で押しつけられるため、接続部１４の端子１４ａが適切に挿入された状態を確実に維持することができる。
【００６４】
なお、図示はしないが、端子１４ａが、後方から前方に向けて機能部１３に挿入される場合、ベースプレート１１は、ケースプレート１２ｂが取り付けられた状態で、端子１４ａの後方に位置し、端子１４ａと接触することになる。
【００６５】
また、たとえば、ケースプレート１２ｂが衛生洗浄装置１０を後方からスライドさせることでベースプレート１１に取り付けられる場合は、縁部１１ｃの前端が、ケースプレート１２ｂを取り付ける際の取り付け向きの奥端となり、縁部１１ｃの前端が、上に向かって凸形状となる。換言すると、縁部１１ｃは、ケースプレート１２ｂの前端に凸形状部１１ｄを有することになる。
【００６６】
なお、図示のように、ベースプレート１１は、縁部１１ｃにおいて端子１４ａと接触することが好ましいが、端子１４ａとの接触位置は、必ずしも縁部１１ｃであることを要しない。たとえば、ベースプレート１１の左右方向の中央部の上面に接触する場合であっても、縁部１１ｃが端子１４ａの抜け方向を遮蔽することができ、部品を追加することなく、接続部１４の端子１４ａが適切に挿入された状態を維持することができる。
【００６７】
上述してきたように、第１の実施形態では、ベースプレート１１が端子１４ａの抜け方向を遮蔽することで、端子１４ａの抜け方向への移動が制限されるため、部品を追加することなく、接続部１４の端子１４ａが適切に挿入された状態を維持することができる。
【００６８】
（第２の実施形態）
＜第２の実施形態に係る衛生洗浄装置＞
次に、図６〜図８を参照して第２の実施形態に係る衛生洗浄装置について説明する。なお、以下では、上記した第１の実施形態と共通の構成については、同一の符号を付して説明を省略する。
【００６９】
図６は、第２の実施形態に係るベースプレートの概略斜視図である。図７及び図８は、第２の実施形態に係るトイレ装置の概略断面図である。
【００７０】
なお、図７には、便器部２に衛生洗浄装置１０Ａを取り付ける途中の状態で便器部２を右側面から見た状態の断面図を示す。また、図８は、便器部２に衛生洗浄装置１０Ａを取り付け終えた状態で便器部２を右側面から見た状態の断面図を示す。また、図７および図８は、端子１４ａを断面図ではない状態で示している。
【００７１】
図６〜図８に示すように、第２の実施形態に係る衛生洗浄装置１０Ａが備えるベースプレート１１Ａの縁部１１Ａｃは、前方側から後方側に向かって、上り傾斜となるように形成されている。
【００７２】
第２の実施形態に係る衛生洗浄装置１０Ａにおいては、第１の実施形態に係る衛生洗浄装置１０と同様に、ケースプレート１２ｂは、衛生洗浄装置１０Ａを前方からスライドさせることでベースプレート１１Ａに取り付けられる。このため、ベースプレート１１Ａの後方側が、ケースプレート１２ｂを取り付ける際の取り付け向きの奥側となる。
【００７３】
すなわち、図７の矢印Ｄ１で示すように衛生洗浄装置１０Ａをスライドさせた際に、ベースプレート１１Ａの縁部１１Ａｃは、ケースプレート１２ｂを取り付ける際の取り付け向きの奥側（図示の例の場合は、後方側）に向かうにつれて、ケースプレート１２ｂとの距離が小さくなるように傾斜している。
【００７４】
このため、端子１４ａは、たとえば機能部１３に対して中途半端に挿入された半挿入状態であったとしても、ベースプレート１１Ａの壁面（図示の例の場合は、縁部１１ＡｃのＹ軸負方向側の壁面）と干渉しにくい。また、半挿入状態の端子１４ａは、ベースプレート１１Ａの上面と干渉し易いが、ベースプレート１１Ａの上面は上り傾斜となっているため、衛生洗浄装置１０Ａのスライドに伴ってベースプレート１１Ａの上面に押されることによって上方へ移動することができる。したがって、端子１４ａとベースプレート１１Ａの上面とが干渉したとしても、取り付け作業は妨げられにくい。このように、第２の実施形態に係る衛生洗浄装置１０Ａによれば、端子１４ａが半挿入状態であっても、挿し直し等の作業を行うことなく、そのまま取り付け作業を進めることができる。
【００７５】
また、矢印Ｄ２に示すように、端子１４ａは、衛生洗浄装置１０Ａのスライドに伴って上方、すなわち、挿し方向に移動するため、取り付けが完了した時には、端子１４ａが適切に挿入された状態となる。これにより、取り付けが完了すると同時に、接続部１４の端子１４ａが適切に挿入された状態にすることができる。
【００７６】
また、ベースプレート１１Ａは、平坦な上面を有しており、平坦な上面のうちのケースプレート１２ｂを取り付ける際の端子１４ａの経路に相当する部位が、ケースプレート１２ｂを取り付ける際の取り付け向きの奥側に向かうにつれて、ケースプレート１２ｂとの距離が小さくなるように傾斜している。すなわち、図示の例の場合は、ベースプレート１１Ａは、平坦な上面のうちの縁部１１Ａｃが、前方側から後方側に向かって、上り傾斜となるように形成されている。
【００７７】
このように、第２の実施形態に係る衛生洗浄装置１０Ａによれば、ベースプレート１１Ａ全体の耐久性を可及的に維持しつつ、端子１４ａが半挿入の状態であっても取り付けを開始することができ、取り付けが完了すると同時に、接続部１４の端子１４ａが適切に挿入された状態にすることができる。
【００７８】
また、ベースプレート１１Ａの縁部１１Ａｃは、ケースプレート１２ｂを取り付ける際の取り付け向きの奥端が平坦になっている。すなわち、図示の例の場合は、縁部１１Ａｃは、前方側から後方側に向かって、上り傾斜となるように、凸形状部１１Ａｄの手前まで形成され、凸形状部１１Ａｄの部分で上に向かう凸形状となり、凸形状部１１Ａｄの上面は、平坦になっている。
【００７９】
このように、第２の実施形態に係る衛生洗浄装置１０Ａによれば、ケースプレート１２ｂの取り付けが完了した際に、縁部１１Ａｃが端子１４ａに対して面接触するため、応力集中による端子１４ａの変形等が抑制でき、接続部１４の端子１４ａが適切に挿入された状態を確実に維持することができる。
【００８０】
上述してきたように、第２の実施形態では、上述した第１の実施形態の効果に加え、端子１４ａが半挿入の状態であっても取り付けを開始することができ、取り付けが完了すると同時に、接続部１４の端子１４ａが適切に挿入された状態にすることができる。
【００８１】
これにより、部品を追加することなく、接続部１４の端子１４ａが適切に挿入された状態を維持することができる。
【００８２】
また、第１および第２の実施形態に係るトイレ装置１，１Ａは、上述してきた衛生洗浄装置１０，１０Ａを備えることで、衛生洗浄装置１０，１０Ａにおいてベースプレート１１，１１Ａは、ケースプレート１２ｂが取り付けられた状態で、端子１４ａの抜け方向に位置し、端子１４ａと接触する。
【００８３】
これにより、ベースプレート１１，１１Ａが端子１４ａの抜け方向を遮蔽することで、端子１４ａの抜け方向への移動が制限されるため、部品を追加することなく、接続部１４の端子１４ａが適切に挿入された状態を維持することができる。
【００８４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８５】
１      トイレ装置
２      便器部
２ａ    便器
２ｂ    ボウル
１０    衛生洗浄装置
１１    ベースプレート
１１ａ  取付部
１１ｂ  固定穴
１１ｃ  縁部
１１ｄ  凸形状部
１２    ケーシング
１２ａ  ケースカバー
１２ｂ  ケースプレート
１３    機能部
１４    接続部
１４ａ  端子
【図１】
2020133179.tif 000003
【図２】
2020133179.tif 000004
【図３】
2020133179.tif 000005
【図４】
2020133179.tif 000006
【図５】
2020133179.tif 000007
【図６】
2020133179.tif 000008
【図７】
2020133179.tif 000009
【図８】
2020133179.tif 000010